(57)【要約】【課題】  紫外線や可視光によって虫を誘引して捕殺するための誘虫装置であっても、効果の大きなものはなかった。そこで、虫の注意を引き、より誘引効果の大きいものを提供する。【解決手段】  可視光を照射するＬＥＤ、紫外線を照射するＬＥＤ、交流電源整流機、該可視光及び該紫外線の照射をオンオフするためのスイッチング装置からなるものであって、該オンオフの回数が１秒間に１５〜１５０回であり、該紫外線を照射するＬＥＤの定格電流値が該可視光を照射するＬＥＤの定格電流値の５〜２０倍であるもの。【選択図】  図１
2017163875.tif 000002
【特許請求の範囲】
【請求項１】
可視光を照射するＬＥＤ、紫外線を照射するＬＥＤ、交流電源整流機、該可視光及び該紫外線の照射をオンオフするためのスイッチング装置からなるものであって、該オンオフの回数が１秒間に１５〜１５０回であり、該紫外線を照射するＬＥＤの定格電流値が該可視光を照射するＬＥＤの定格電流値の５〜２０倍であることを特徴とする誘虫装置。
【請求項２】
該紫外線を照射するＬＥＤは波長の異なる複数のものを用いるものである請求項１記載の誘虫装置。
【請求項３】
該可視光を照射するＬＥＤは波長の異なる複数のものを用いるものである請求項１又は２記載の誘虫装置。
【請求項４】
該紫外線を照射するＬＥＤは、定格電流値が１５０ｍＡ以上のものである請求項１乃至３のいずれか１項に記載の誘虫装置。
【請求項５】
該可視光を照射するＬＥＤと該紫外線を照射するＬＥＤはランダムに配置するものである請求項１乃至４のいずれか１項に記載の誘虫装置。
【請求項６】
可視光を照射するＬＥＤ、紫外線を照射するＬＥＤ、交流電源整流機、該可視光及び該紫外線の照射をオンオフするためのスイッチング装置からなるものであって、該紫外線を照射するＬＥＤの定格電流値が該可視光を照射するＬＥＤの定格電流値の５〜２０倍である誘虫装置を用いて、該ＬＥＤを１秒間に１５〜１５０回オンオフすることを特徴とする誘虫方法。
【発明の詳細な説明】
【技術分野】
【０００１】
本発明は、誘虫装置及び誘虫方法に関するものである。
【背景技術】
【０００２】
誘虫装置は、捕虫（殺虫を含む）器等に使用されるもので、虫（主として飛翔昆虫）が好む電磁波を照射（放射も含む）して虫を引き付けるものである。虫の視覚としては、２４０ｎｍ〜５６０ｎｍの広い波長域の電磁波を感知する。このうち、２４０ｎｍ〜４００ｎｍは紫外線の領域であり、人間には感知できない範囲である。
【０００３】
勿論、人間もそうであるが、虫も真っ暗な部分に向かって進むということを避ける。そのため、上記した感知可能な電磁波が照射（反射も含む）され、照射している物体が認識できるものの方に向かう。特に、交尾のため同種のものが集まる光（電磁波）のもとに向かってより進むことは容易に想像がつく。このように考えると、電磁波であっても、より好む波長があるのである。言い換えれば、感度の高い電磁波の領域（波長）があるということであり、昆虫の種類によって好む波長も微妙に異なる。
【０００４】
よって、害虫を捕虫するには、当然この虫が好む波長の電磁波を照射してそれに集まるようにしている。一般的には虫は、３７０ｎｍ程度の紫外線を好む（感知する）ものや、より短い２４０ｎｍ〜２７０ｎｍ付近をも感知するものもある。
しかし、虫は前記した通り紫外線だけを感知するのではなく、可視光の範囲も感知する。人間でも同様であるが、虫も特定の色だけの可視光よりも、広い範囲の波長が混合されたもののほうをより好む。よって、紫外線だけよりも可視光も照射するものの方がより誘虫効果が高い。
【０００５】
さらに、虫だけでなく動物は、静止しているものより、動くものを感知しやすい。しかしながら、誘虫ランプ等を動かすことは難しい。そこで、ランプを点滅して動いているように見せることが考えられる。例えば、特許文献１のようなものである。
【０００６】
この特許文献１では、紫外線と可視光を照射する発光体が同一のもので別々という考えはない。また、紫外線と可視光の電流値を変えるという考えもない。
また、ＬＥＤについても使用できるという記載のみで詳細な説明はない。
現在のＬＥＤでは、紫外線を照射するものは効率が悪く、照射する紫外線レベルが可視光に比べて小さい。よって、同じように紫外線を照射するＬＥＤと可視光用のＬＥＤを並べても、紫外線のレベルが低すぎて虫が感知し難い。
【先行技術文献】
【特許文献】
【０００７】
【特許文献１】特許第４６８７４９０号
【発明の概要】
【発明が解決しようとする課題】
【０００８】
そこで、本発明では、簡単な装置で、紫外線と可視光の混合電磁波を用いて虫を効率よく引き付けるものを提供する。
【課題を解決するための手段】
【０００９】
以上のような状況に鑑み、本発明者は鋭意研究の結果本発明誘虫装置及び誘虫方法を完成したものであり、その特徴とするところは、誘虫装置にあっては、可視光を照射するＬＥＤ、紫外線を照射するＬＥＤ、交流電源整流機、該可視光及び該紫外線の照射をオンオフするためのスイッチング装置からなるものであって、該オンオフの回数が１秒間に１５〜１５０回であり、該紫外線を照射するＬＥＤの定格電流値が該可視光を照射するＬＥＤの定格電流値の５〜２０倍である点にあり、誘虫方法にあっては、可視光を照射するＬＥＤ、紫外線を照射するＬＥＤ、交流電源整流機、該可視光及び該紫外線の照射をオンオフするためのスイッチング装置からなるものであって、該紫外線を照射するＬＥＤの定格電流値が該可視光を照射するＬＥＤの定格電流値の５〜２０倍である誘虫装置を用いて、該ＬＥＤを１秒間に１５〜１５０回オンオフする点にある。
【００１０】
本発明において誘虫装置は、虫の好む波長の電磁波を放射して虫を寄せ集めるものである。集める目的は自由である。殺虫、行かせたくない所から離すため、種々の理由による捕虫、その他である。
【００１１】
紫外線を照射するＬＥＤ（紫外線用ＬＥＤ）も、可視光を照射するＬＥＤ（可視光用ＬＥＤ）も、通常の発光ダイオードでよく、市販されているものでよい。最近では、種々の波長の電磁波を照射するものが発表されており、紫外線用も種々発表されている。
【００１２】
ここでいう紫外線は、波長が２３０〜４００ｎｍの電磁波をいう。この範囲の電磁波を照射するＬＥＤを１又は複数使用する。１種類であっても複数の種類でもよい。なかでも、２３０ｎｍ〜２７０ｎｍの比較的波長の短いものと、３５０ｎｍ〜３９０ｎｍ（特に３６５ｎｍ付近）の比較的波長の長いものが好適である。種々の波長のものを組み合わせてもよいが、上記した比較的短いものと比較的長いものとの組み合わせが好適である。
【００１３】
可視光を照射するＬＥＤも同様であり、１種でなくてもよい。例えば、青色と緑を用いる等である。
交流電源整流機は、交流電源を直流にするものであり、通常のものでよい。電圧自体は変えても変えなくてもよい。
【００１４】
電磁波の照射をオンオフするためのスイッチング装置は、これもなんら新しいものである必要はない。従来のものでよい。このオンオフの周期（１秒間に点滅する頻度であり、１秒間の点灯回数をいう）は、１５〜１５０回である。特に、人間の目では５０回以上になるとほとんど点滅が感知できないため、人間に不快感を与えないように、５０以上が好ましい。また、虫もあまり点滅回数が多いと感知し難いため感知しやすいように、１００以下がよい。よって、５０〜１００回／秒が好ましい。
【００１５】
次に本発明で、紫外線用ＬＥＤの定格電流値が可視光用ＬＥＤの定格電流値の５〜２０倍である。これは、現在の技術では、紫外線用ＬＥＤは出力が弱く、可視光と比較すると、５分の１以下であることが多い。よって、紫外線と可視光の照射レベルの差をなるべく減らそうというのが本発明のポイントである。２０倍以上にしなければならないほど、両者に差はない。
【００１６】
このために、紫外線用ＬＥＤの定格電流値を可視光の５〜２０倍にするのである。定格電流値が５倍ということは、流れる電流値が大きくなり、それにつれて紫外線の照射強度も大きくなる。
例えば、可視光用ＬＥＤが３０ｍＡとすると、紫外線用ＬＥＤは１５０ｍＡ〜６００ｍＡにする、即ち、そのような定格電流値のものを用いるということである。
【００１７】
本発明の紫外線用ＬＥＤと可視光用ＬＥＤは、ランダムに配置しても、規則的に配置してもよい。その数も自由であり、虫の種類や設置場所により決めればよい。
また、虫によっては紫外線用ＬＥＤの数を多くするか、少なくすることも考えられる。例えば、可視光用ＬＥＤ１０個に対して、紫外線用ＬＥＤが５〜１５個等である。
【００１８】
本発明では、紫外線用ＬＥＤの照射レベルが低いからといって、その数を増やすだけでは解決できない。それは、紫外線の強度（到達距離）が大きくならないため、数を増やしても誘虫効果は上がらない。
よって、紫外線用ＬＥＤの定格電流値も、可視光用ＬＥＤの定格電流値にかかわらず、１５０ｍＡ以上のものが好ましく、３００ｍＡ以上のものがより好適である。
【００１９】
本発明誘虫装置は、捕虫機に用いる誘虫機として使用するのが好適である。例えば、粘着具、吸引捕虫具、液体捕虫具等の近傍に設置して用いるのである。勿論、他の用途に用いてもよい。
【発明の効果】
【００２０】
本発明誘虫灯には次のような大きな利点がある。
（１）  紫外線と可視光が点滅しているため、虫には検知しやすく、非常に気になるものである。よって、誘虫効果が大きい。
（２）  ＬＥＤを用いているため、電気代が軽減できる。
（３）  紫外線用ＬＥＤの方の定格電流値が可視光用ＬＥＤより大きいため、照射レベルを可視光に近くすることができる。
【図面の簡単な説明】
【００２１】
【図１】本発明の装置の概略平面図である。
【図２】本発明の装置の他の例を示す概略平面図である。
【発明を実施するための形態】
【００２２】
以下実施例に基づいて、本発明をより詳細に説明する。
図１は、本発明誘虫装置１の１例を示す概略図である。
電源２、交流電源整流機３、スイッチング装置４、および紫外線用ＬＥＤ５、可視光用ＬＥＤ６からなるものである。この装置では、交流電源整流機３は、トランスと整流器からなり、電圧（調整可能）を変換できるとともに、直流にする。また、スイッチング装置４は、電磁波の照射をオンオフする装置であり、その頻度（周波数）は調整できる。１秒間に５０〜１００回程度がよい。
【００２３】
このオンオフ電源がＬＥＤに供給される。この例では、紫外線用ＬＥＤの定格電流値が３００ｍＡで、可視光用ＬＥＤのそれは３０ｍＡである。ちょうど１０倍である。よって、同じ電流値では、照射用ＬＥＤの紫外線照射レベル（ｍＷ／ｃｍ２）が可視光より低くても、１０倍の電流値であるため、相当のレベルになる。
これによって、虫には紫外線が強く感知され誘引される。
【００２４】
図２は、本発明の他の例を示す概略平面図である。この例では、紫外線用ＬＥＤ５と可視光用ＬＥＤ６とが交互に設けられているものである。
【符号の説明】
【００２５】
１  誘虫装置
２  電源
３  交流電源整流機
４  スイッチング装置
５  紫外線用ＬＥＤ
６  可視光用ＬＥＤ
【図１】
2017163875.tif 000003
【図２】
2017163875.tif 000004